(57)【要約】【課題】レイヤーの一端をセーフティー位置に合わせる作業を簡易化させたテロップ編集装置及びテロップ編集プログラムを提供する。【解決手段】テロップ編集装置１０は、動画又は静止画上に重畳させるテロップを囲む局所的な領域として規定されるレイヤー１１ごとに編集するテロップ編集装置１０において、映像編集画面１００上の所望の位置にレイヤー１１内の不動点として設定されるアンカー２４を受け付けるアンカー受付部２１と、レイヤー１１の映像編集画面１００における配置可能範囲の境界１２の位置情報を保持する記憶部１８と、位置情報に基づいてレイヤー１１の一端が境界１２の位置になるまでアンカー２４を不動点としてレイヤー１１のサイズ変更をするサイズ変更部２２と、を備える。【選択図】  図２
2019105867.tif 000002
【特許請求の範囲】
【請求項１】
動画又は静止画上に重畳させるテロップを、前記テロップを囲む局所的な領域として規定されるレイヤーごとに編集するテロップ編集装置において、
映像編集画面上の所望の位置に前記レイヤー内の不動点として設定されるアンカーを受け付けるアンカー受付部と、
前記レイヤーの前記映像編集画面における配置可能範囲の境界の位置情報を保持する記憶部と、
前記位置情報に基づいて前記レイヤーの一端が前記境界の位置になるまで前記アンカーを不動点として前記レイヤーのサイズ変更をするサイズ変更部と、を備えることを特徴とするテロップ編集装置。
【請求項２】
前記サイズ変更部は、前記レイヤーを段階的に拡大又は縮小させて前記レイヤーの任意の一端が前記境界に到達した場合に前記サイズ変更を終了する請求項１に記載のテロップ編集装置。
【請求項３】
前記サイズ変更部は、
前記アンカーからそれぞれの前記境界までの距離を第１距離として取得する第１取得部と、
前記アンカーから前記レイヤーのそれぞれの端部までの距離を第２距離として取得する第２取得部と、
前記第１距離及び第２距離に基づいて、前記端部のいずれかが前記境界のいずれかに到達するまでの前記レイヤーの最小倍率を算出する倍率算出部と、
前記最小倍率で前記サイズ変更をする変更実行部と、を備える請求項１又は請求項２に記載のテロップ編集装置。
【請求項４】
前記サイズ変更部は、前記レイヤーの縦横を等倍率で拡大又は縮小することで前記サイズ変更をする請求項１から請求項３のいずれか１項に記載のテロップ編集装置。
【請求項５】
前記サイズ変更部は、位置合わせがなされる前記境界へ到達する方向にのみ前記レイヤーを拡大又は縮小することで前記サイズ変更をする請求項１から請求項４のいずれか１項に記載のテロップ編集装置。
【請求項６】
前記サイズ変更部は、同一レイヤー中の文字又は図形の大きさを一定にしたまま文字間隔及び図形間隔の少なくとも一方を変更することで前記サイズ変更をする請求項１から請求項５のいずれか１項に記載のテロップ編集装置。
【請求項７】
動画又は静止画上に重畳させるテロップを、前記テロップを囲む局所的な領域として規定されるレイヤーごとに編集するテロップ編集プログラムにおいて、
コンピュータに、
映像編集画面上の所望の位置に前記レイヤー内の不動点として設定されるアンカーを受け付けるステップ、
前記レイヤーの前記映像編集画面における配置可能範囲の境界の位置情報に基づいて前記レイヤーの一端が前記境界の位置になるまで前記アンカーを不動点として前記レイヤーのサイズ変更をするステップ、を実行させることを特徴とするテロップ編集プログラム。
【発明の詳細な説明】
【技術分野】
【０００１】
本発明は、テレビ等の映像に文字情報又は図形を重畳させた映像コンテンツを編集するテロップ編集技術に関する。
【背景技術】
【０００２】
テレビ、映画又はインターネット等で放映される映像コンテンツには、動画又は静止画の上に文字列又は図形を組み合わせたテロップを重畳したものが多い。映像コンテンツの映像編集画面には、通常、セーフティーと呼ばれる境界が規定される。テロップを映像編集画面上において構成するレイヤーは、いずれもこのセーフティーで四方を囲まれた範囲（以下、「セーフティー範囲」という）からはみ出さないように調整される。
【０００３】
ところで、レイヤーは、レイヤーの上下左右の一端をセーフティー範囲内の所望の位置、他端をセーフティー位置に合わさるように配置させることが多い。
この場合、従来では、まず、所望する一点にこの一端が合うようにレイヤーを配置して、この一端を不動点に設定し、その後、編集者が手動でこのレイヤーのサイズを調整して他端をセーフティーに一致させていた。
【先行技術文献】
【特許文献】
【０００４】
【特許文献１】特開２０１２−２２１１２９号公報
【発明の概要】
【発明が解決しようとする課題】
【０００５】
しかしながら、上述した従来の技術では、セーフティーにレイヤーの一端が一致するまで編集者がサイズの調整を繰り返していたため、編集者がこの調整にその都度注意を向けなければならないという課題があった。
【０００６】
本発明は、上述した事情を考慮してなされたもので、レイヤーの一端をセーフティー位置に合わせる作業を簡易化させたテロップ編集装置及びテロップ編集プログラムを提供することを目的とする。
【課題を解決するための手段】
【０００７】
本実施形態に係るテロップ編集装置は、動画又は静止画上に重畳させるテロップを編集の反映結果を共有させる単位として規定されたレイヤーごとに編集するテロップ編集装置において、映像編集画面上の所望の点に付加されたアンカーを受け付けるアンカー受付部と、前記レイヤーの前記映像編集画面における配置可能範囲の境界の位置情報を保持する記憶部と、前記位置情報に基づいて前記レイヤーの一端が前記境界の位置になるまで前記アンカーを不動点として前記レイヤーのサイズ変更をするサイズ変更部と、を備えるものである。
【０００８】
本実施形態に係るテロップ編集プログラムは、動画又は静止画上に重畳させるテロップを、前記テロップを囲む局所的な領域として規定されるレイヤーごとに編集するテロップ編集プログラムにおいて、コンピュータに、映像編集画面上の所望の位置に前記レイヤー内の不動点として設定されるアンカーを受け付けるステップ、前記レイヤーの前記映像編集画面における配置可能範囲の境界の位置情報に基づいて前記レイヤーの一端が前記境界の位置になるまで前記アンカーを不動点として前記レイヤーのサイズ変更をするステップ、を実行させるものである。
【発明の効果】
【０００９】
本発明により、レイヤーの一端をセーフティー位置に合わせる作業を簡易化させたテロップ編集装置及びテロップ編集プログラムが提供される。
【図面の簡単な説明】
【００１０】
【図１】各実施形態に係るテロップ編集装置が利用可能な映像編集画面の一例を示す図。
【図２】第１実施形態に係るテロップ編集装置を示すブロック図。
【図３】第１実施形態に係るテロップ編集方法を示すフローチャート。
【図４】（Ａ）及び（Ｂ）は、レイヤーの縦横比を一定にしてサイズ変更をする態様を示す図。
【図５】（Ａ）及び（Ｂ）は、特定の方向にのみレイヤーを伸縮する態様を示す図。
【図６】（Ａ）及び（Ｂ）は、レイヤーの文字間隔又は図形間隔を伸縮させる態様を示す図。
【図７】第２実施形態に係るテロップ編集装置の概略構成図。
【図８】第２実施形態に係るテロップ編集装置によるサイズ変更の態様を説明する図。
【発明を実施するための形態】
【００１１】
以下、本発明の実施形態を添付図面に基づいて説明する。
【００１２】
図１は、各実施形態に係るテロップ編集装置１０が利用可能な映像編集画面１００の一例を示す図である。映像コンテンツ中のテロップは、映像編集画面１００上では、図１に示されるように、１つ又は複数のレイヤー１１の単位で編集される。ここで、テロップとは、動画や静止画等の映像コンテンツに重畳される文字、図形又はこれらの結合のことである。
【００１３】
各実施形態において、レイヤー１１とは、編集の反映結果を共有させる単位として規定された文字、図形又はこれらの結合を纏めた単位を指すものとする。一つのレイヤー１１中の文字又は図形の色等の情報は、レイヤー１１の属性の一部として扱われる。
また、レイヤー１１は、テロップ（即ち、文字、図形又はこれらの結合）を囲む局所的な領域であると考えることもできる。
【００１４】
一つのレイヤー１１で纏められた文字又は図形は、原則的に一体的に扱われる。例えば、図１に示されるような「株式会社○○」などの文字列は、それぞれ１つのレイヤー１１として一体的に扱われる。
なお、テロップの編集単位には、「○○グループ」及び「特許太郎さん」のように、２つ以上のレイヤー１１がグループ１５に纏められて一体的に扱われるものもある。
【００１５】
また、映像編集画面１００中には、セーフティー１２（１２１〜１２４）が規定される。セーフティー１２とは、映像編集画面１００の周辺枠１３から一定距離だけ離れた位置に設定される境界であって、これより周辺枠１３側にはレイヤー１１を配置しないと定めた境界のことをいう。
【００１６】
例えばブラウン管のテレビでは、画面の外周付近で映像が表示範囲からはみ出て見えなくなる。よって、テロップがこの画面の外周付近に配置されないように、例えば映像編集画面１００全体の１０％の幅だけ周辺枠１３から離れた位置等、映像コンテンツごとにそのセーフティー１２の位置が規定される。以下、セーフティー１２で四方を囲まれた範囲を「セーフティー範囲１４」という。
【００１７】
各実施形態に係るテロップ編集装置１０は、セーフティー範囲１４に配置されたレイヤー１１の一端をセーフティー１２の位置に合わせる作業を補助するものである。
【００１８】
（第１実施形態）
図２は、第１実施形態に係るテロップ編集装置１０を示すブロック図である。
【００１９】
１．構成
テロップ編集装置１０は、図１に示すように、入力部１６、表示部１７、記憶部１８及び制御部１９を有する。
【００２０】
入力部１６は、たとえばキーボード、タッチパネル、トラックボール、テンキー、マウス、音声入力回路、視線入力回路などの一般的な入力装置により構成され、ユーザの操作に応じた入力信号を制御部１９に出力する。
【００２１】
表示部１７は、例えば、液晶ディスプレイやＯＬＥＤ（Organic Light Emitting Diode）ディスプレイなどの表示出力装置により構成され、制御部１９の制御に従って、映像編集画面１００などの各種情報を表示する。
【００２２】
記憶部１８は、磁気的もしくは光学的記録媒体または半導体メモリなどの、制御部１９により読み取り可能な記録媒体を含んだ構成を有する。これら記憶媒体内のデータの一部または全部は、電子ネットワークを介してダウンロードされるように構成されてもよい。記憶部１８は、少なくとも映像編集画面１００におけるセーフティー１２の位置情報を保持する。
【００２３】
制御部１９は、処理回路、ＲＡＭおよびＲＯＭをはじめとする記憶媒体などにより構成され、この記憶媒体に記憶されたプログラムに従ってテロップ編集装置１０の動作を制御する。制御部１９の処理回路は、専用のハードウェアで構成してもよいし、プロセッサによるソフトウェア処理で各種機能を実現するように構成してもよい。
【００２４】
ここで、プロセッサとは、専用または汎用のＣＰＵ（Central Processing Unit）、ＧＰＵ（Graphics Processing Unit）を含む。また、専用のハードウェアとは、特定用途向け集積回路（ＡＳＩＣ：Application Specific Integrated Circuit）、プログラマブル論理デバイス、およびフィールドプログラマブルゲートアレイ（ＦＰＧＡ：Field Programmable Gate Array）などの回路を含む。上記プログラマブル論理デバイスとしては、例えば、単純プログラマブル論理デバイス（ＳＰＬＤ：Simple Programmable Logic Device）、複合プログラマブル論理デバイス（ＣＰＬＤ：Complex Programmable Logic Device）などが挙げられる。
【００２５】
ここでは一例として、制御部１９の処理回路がプロセッサである場合について説明する。この場合、制御部１９は、記憶媒体に記憶されたプログラムを読み出して実行することにより、レイヤー１１の一端をセーフティー１２に半自動で合わせるための処理を実行する。
【００２６】
なお、この場合、制御部１９の処理回路は、単一のプロセッサによって構成されてもよいし、複数の独立したプロセッサの組み合わせによって構成されてもよい。プロセッサが複数設けられる場合、プログラムを記憶する記憶媒体は、プロセッサごとに個別に設けられてもよいし、１つの記憶媒体が全てのプロセッサの機能に対応するプログラムを一括して記憶してもよい。
【００２７】
制御部１９は、図２に示されるように、ＲＯＭをはじめとする記憶媒体に記憶された文字配置プログラムによって、少なくともアンカー受付部２１及びサイズ変更部２２として機能する。これらの機能実現部（２１，２２）は、それぞれプログラムの形態で記憶媒体に記憶されている。
【００２８】
アンカー受付部２１は、編集者が決定したレイヤー１１の不動点の位置情報を取得する。不動点は、編集者がレイヤー１１に対して入力部１６から付与したアンカー２４の位置で規定される。
【００２９】
サイズ変更部２２は、レイヤー１１の一端がセーフティー１２の位置になるまで、アンカー２４の位置を固定した状態で、レイヤー１１のサイズ変更をする。サイズ変更部２２は、例えば、レイヤー１１のサイズを段階的に変更する漸次変更部２６と、セーフティー１２の位置情報に基づいてレイヤー１１の一端がセーフティー１２に到達したか否かを判定する到達判定部２７と、で構成される。
【００３０】
２．動作
次に、第１実施形態に係るテロップ編集方法を図３のフローチャート及び図４（Ａ）を用いて説明する（図１および図２を適宜参照）。図３において、Ｓに数字を付した符号はフローチャートの各ステップを示す。また、図４（Ａ）は、セーフティー範囲１４内に配置されたレイヤー１１の自動調整の一態様を示す図である。
【００３１】
まず、テロップ編集装置１０による自動調整の前作業として、編集者がレイヤー１１を、例えばマウスのドラッグによって所望の位置に仮置きする。また、編集者は、レイヤー１１を拡大、縮小する際に、不動点としたいレイヤー１１の外周又は内部の所望の位置に、アンカー２４を設定する。アンカー２４の設定は、例えば、マウスによるカーソルの移動とクリック等の操作で行うことができる。ただし、このアンカー２４の位置は、レイヤー１１の外部であってもよい。
【００３２】
アンカー２４が設定される位置は、レイヤー１１の４つの角部、レイヤー１１の４端辺２８（２８１〜２８４）上の中点又はレイヤー１１の領域内の中心点が典型である。以下の動作説明では、特に断りのない限り、アンカー２４は、図４（Ａ）に示されるような先頭下角部に設定されたものとして説明し、アンカー２４を星印で表記するものとする。また、この動作説明では、図４（Ａ）に示されるような、レイヤー１１の端辺２８をセーフティー範囲１４の内側からセーフティー１２に到達させる場合で説明する。
【００３３】
まず、テロップ編集装置１０のアンカー受付部２１が、編集者が設定したアンカー２４を受け付けて、このアンカー２４の位置情報を取得する（Ｓ１１）。
【００３４】
漸次変更部２６が入力部１６を介してサイズ変更実行の指示入力を受け付ける（Ｓ１２）。
例えば、編集者がサイズ変更実行のために割り当てられたキーボード上の所定のキーを押下することで、漸次変更部２６へ指示が入力される。
【００３５】
サイズ変更実行の指示を受けた漸次変更部２６は、アンカー受付部２１からアンカー２４の位置情報を取得する（Ｓ１３）。そして、漸次変更部２６は、このアンカー２４を不動点としてレイヤー１１を段階的に拡大する。
【００３６】
一方、到達判定部２７は、記憶部１８を参照して、予め記憶部１８に保持されたセーフティー１２の位置を取得する（Ｓ１４）。そして、レイヤー１１の端辺２８の位置がこのセーフティー１２の位置に一致したか否かを判定する。
【００３７】
レイヤー１１の端辺２８の少なくとも１つ（任意の一端）がセーフティー１２の位置と一致するまでは（Ｓ１４でＮＯの場合）、漸次変更部２６は、レイヤー１１の拡大を継続する（Ｓ１３へ）。
一方、レイヤー１１の端辺２８がセーフティー１２の位置と一致した場合（Ｓ１４でＹＥＳの場合）、到達判定部２７でレイヤー到達の判断がなされる。漸次変更部２６は、このようになされたレイヤー到達の判断を受けて、レイヤー１１の拡大を終了する（Ｓ１５）。このときのレイヤー１１のサイズ、配置及び形状が自動調整の結果として確定する。
【００３８】
なお、レイヤー１１の拡大は、段階的であればよく、ステップ幅を規定するものではない。ただし、ステップ幅を大きく設定した場合、レイヤー１１の端辺２８とセーフティー１２との位置が完全には一致しないこともある。この場合、到達判定部２７は、この端辺２８がセーフティー１２を超えず、かつ、セーフティー１２から一定距離以内に含まれた場合にレイヤー到達の判断をする。
【００３９】
このようにしてサイズ等が確定したレイヤー１１を、漸次変更部２６が表示部１７に表示して（Ｓ１６）、第１実施形態に係るテロップ編集方法の動作が終了する（ＥＮＤ）。
なお、漸次変更部２６によるレイヤー１１のサイズ変更の態様には、編集者のニーズに合わせて、下記の３例が挙げられる。（１）レイヤー１１の縦横を等倍率でサイズ変更する態様、（２）特定の方向にのみレイヤー１１をサイズ変更する態様、（３）文字間隔又は図形間隔でサイズ変更する態様である。
以下、これら３つの態様を順に説明する。
【００４０】
［１．レイヤー１１の縦横を等倍率でサイズ変更］
上述した図４（Ａ）は、レイヤー１１の縦横を等倍率で拡大する過程を示している。
また、図４（Ｂ）は、反対に縦横を等倍率で縮小する態様を説明する図である。
図４（Ａ）に示す態様では、レイヤー１１は、縦横比を一定に維持されて、その全体を拡大される。
この結果、レイヤー１１に含まれる文字列又は図形も、縦横比を維持したままレイヤー１１の拡大とともに拡大される。
【００４１】
また、レイヤー１１がセーフティー１２からはみ出して配置された場合、図４（Ｂ）に示されるように、レイヤー１１は、縦横比を維持したままレイヤー１１がセーフティー１２と交差しなくなるまで縮小される。
【００４２】
［２．特定の方向にのみレイヤー１１を伸縮］
図５（Ａ）及び図５（Ｂ）は、特定の方向にのみレイヤー１１を伸縮する態様を示す図である。図５（Ａ）に示される態様では、レイヤー１１は、レイヤー１１の高さが固定されて、幅のみが拡大されている。つまり、予め定められた特定のセーフティー１２へ到達する方向にのみ、レイヤー１１が拡大される。この結果、レイヤー１１に含まれる文字列又は図形は、図５（Ａ）に示されるように、端部２８１がセーフティー１２１に到達するまで、幅方向にのみ伸長される。
【００４３】
なお、レイヤー１１の上端辺２８４上にアンカー２４が設定された場合、レイヤー１１は、その反対側である下側のセーフティー１２２に向けて伸長する。また、このような一方向に伸縮する態様において、レイヤー１１の角部にアンカー２４が設定されることもある。例えば、図５（Ａ）に示されるように、先頭下角部にアンカー２４が設定された場合である。この場合、伸長させる向きには、図面右側と上側の２つの選択肢がある。
【００４４】
伸長させる向きに２つの選択肢がある場合、例えば横書きの文字列には横方向、縦書きの文字列には縦方向に伸長させる規定を設定することで、サイズ変更指示の入力に対する応答を一意的にすることができる。また、４つのセーフティー１２に優先順位を設定して、より優先順位の高いセーフティー１２の向きにレイヤー１１を伸長させてもよい。
【００４５】
また、レイヤー１１がセーフティー１２を超えて配置されている場合、図５（Ｂ）に示されるように、レイヤー１１は、セーフティー１２と交差しなくなるまで幅のみが縮小される。
【００４６】
［３．文字間隔又は図形間隔でサイズ変更］
図６（Ａ）及び図６（Ｂ）は、レイヤー１１の文字間隔又は図形間隔を伸縮させる態様を説明する図である。図６（Ａ）に示す態様では、レイヤー１１は、文字間隔又は図形間隔のみが伸長される。この結果、レイヤー１１に含まれる文字列のフォントサイズ又は図形の大きさを一定に維持されたまま、レイヤー１１が一方向に拡大される。
【００４７】
また、レイヤー１１がセーフティー１２を超えて配置されている場合、図６（Ｂ）に示されるように、レイヤー１１は、セーフティー１２と交差しなくなるまで文字間隔又は図形間隔のみが縮小される。
【００４８】
以上のように、第１実施形態に係るテロップ編集装置１０によれば、レイヤー１１の一端をセーフティー１２の位置に合わせる作業を簡易化させることができる。
【００４９】
（第２実施形態）
図７は、第２実施形態に係るテロップ編集装置１０の概略構成図である。
また、図８は、第２実施形態に係るテロップ編集装置１０によるサイズ変更の態様を説明する図である。
【００５０】
第２実施形態に係るテロップ編集装置１０は、図７に示されるように、サイズ変更部２２が、第１取得部３１、第２取得部３２、倍率算出部３３及び変更実行部３４を備える。
【００５１】
第１実施形態では、レイヤー１１のサイズが確定するまで、レイヤー１１のサイズ変更とレイヤー到達の判定とを繰り返していた。
しかし、実際にサイズ変更と判定とを繰り返さなくても、レイヤー１１とセーフティー１２との幾何学的な配置関係から、レイヤー１１のどの端辺２８が最初にセーフティー１２に到達するか予測することもできる。
そこで、第２実施形態では、図８に示されるように、レイヤー１１とセーフティー１２との幾何学的な配置関係に基づいて、レイヤー１１の拡大率又は縮小率を算出する。
【００５２】
第１取得部３１は、アンカー受付部２１からアンカー２４の位置情報を、また記憶部１８からセーフティー１２の位置情報を取得する。そして、第１取得部３１は、アンカー２４からそれぞれのセーフティー１２（１２１〜１２４）までの距離を第１距離ｄ（ｄ１〜ｄ４）として計算する。
【００５３】
第２取得部３２は、アンカー受付部２１からアンカー２４の位置情報を、また入力部１６が入力したレイヤー１１の形状からレイヤー１１の位置情報を取得する。そして、アンカー２４からレイヤー１１のそれぞれの端辺２８までの距離を第２距離ｇ（ｇ１〜ｇ４）として取得する。
【００５４】
ここで、レイヤー１１は、通常長方形をしているので、この端部は、レイヤー１１の４端辺２８（２８１〜２８４）を意味することになる。この場合、第２距離ｇは、アンカー２４からこの端辺２８１，２８２，２８３，２８４に下ろした垂線の長さは夫々、ｇ１，ｇ２，ｇ３，ｇ４になる。
【００５５】
倍率算出部３３は、第１距離ｄ及び第２距離ｇに基づいて、端部のいずれかがセーフティー１２のいずれかに到達するまでのレイヤー１１の最小倍率を算出する。図８で示した一例では、倍率算出部３３によって、ｄ1／ｇ1、ｄ2／ｇ2、ｄ3／ｇ3、ｄ4／ｇ4が算出される。そして、これらの倍率のうち最小であるｄ1／ｇ1が実行される拡大倍率として変更実行部３４に出力される。
【００５６】
変更実行部３４は、この最小倍率ｄ1／ｇ1でレイヤー１１のサイズ変更をする。図８の一例では、サイズ変更がなされた結果、レイヤー１１の後尾端辺２８１が図中右側のセーフティー１２１の位置に合わせられることになる。
なお、レイヤー１１の最小倍率を算出してこの最小倍率でレイヤー１１を拡大すること以外は、第２実施形態は第１実施形態と構成的にも動作的にも同様となるので、重複する説明を省略する。
【００５７】
このように、第２実施形態に係るテロップ編集装置１０によれば、繰り返しサイズ変更を実行する際の負荷が大きい場合に、この作業を最小倍率の算出に代替させて第１実施形態と同様の効果を得ることができる。
【００５８】
以上述べた少なくとも一つの実施形態のテロップ編集装置１０によれば、セーフティー１２に位置情報に基づいて自動でレイヤー１１のサイズ変更をすることにより、レイヤー１１の一端をセーフティー１２の位置に合わせる作業を簡易化させることが可能となる。
【００５９】
本発明のいくつかの実施形態を説明したが、これらの実施形態は、例として提示したものであり、発明の範囲を限定することは意図していない。
これら実施形態は、その他の様々な形態で実施されることが可能であり、発明の要旨を逸脱しない範囲で、種々の省略、置き換え、変更、組み合わせを行うことができる。
これら実施形態やその変形は、発明の範囲や要旨に含まれると同様に、特許請求の範囲に記載された発明とその均等の範囲に含まれるものである。
【００６０】
例えば、レイヤーは、必ずしも長方形に限定されず、端辺上の一点がセーフティーに向かって突出している場合もある。突出したこの一点が最初にセーフティーに到達する場合、この一点がレイヤーの端部を構成することになる。
【符号の説明】
【００６１】
１０…テロップ編集装置、１１…レイヤー、１２（１２１〜１２４）…セーフティー、１３…周辺枠、１４…セーフティー範囲、１５…グループ、１６…入力部、１７…表示部、１８…記憶部、１９…制御部、２１…アンカー受付部、２２…サイズ変更部、２４…アンカー、２６…漸次変更部、２７…到達判定部、２８（２８１〜２８４）…端辺、３１…第１取得部、３２…第２取得部、３３…倍率算出部、３４…変更実行部、１００…映像編集画面、ｄ（ｄ１〜ｄ４）…第１距離、ｇ（ｇ１〜ｇ４）…第２距離。
【図１】
2019105867.tif 000003
【図２】
2019105867.tif 000004
【図３】
2019105867.tif 000005
【図４】
2019105867.tif 000006
【図５】
2019105867.tif 000007
【図６】
2019105867.tif 000008
【図７】
2019105867.tif 000009
【図８】
2019105867.tif 000010